(57)【要約】【課題】簡易な施工によりガタツキのない状態で横木を支柱へ連結できる、擬木柵における支柱と横木の連結構造を提供すること。【解決手段】連結装置３０を使用して支柱１０の凹部１１に嵌合させた横木２０と支柱の間を連結する擬木柵の連結構造であって、連結装置３０は支柱１０に貫挿して固着された両ねじ構造の連結ボルト３１と、支柱１０の側面から突出した連結ボルト３１の軸部の他方に螺着されたテーパナット３３と、横木２０の一方の開口端部の側面に横木２０の中心部へ向けて螺着された調整ボルト３４とを具備し、横木２０の側面に螺着された調整ボルト３４の先端部がテーパナット３３のテーパ面３３ａに当接して滑動するまで締め付けられる。【選択図】図５
2019127791.tif 000002
【特許請求の範囲】
【請求項１】
側面に凹部が形成された中空構造の支柱と、両端部が開口され、隣り合う支柱の凹部に嵌入されて横架された横木と、支柱と横木の開口端部との間を連結ボルトで連結する連結装置とを具備する擬木柵であって、
前記連結装置が支柱に貫挿して固着された両ねじ構造の連結ボルトと、
前記支柱の側面から突出した連結ボルトの軸部の他方に螺着されたテーパナットと、
前記横木の一方の開口端部の側面に横木の中心部へ向けて螺着された調整ボルトとを具備し、
テーパナット付きの連結ボルトが横木の一方の開口端部に内挿された状態で、前記横木の一方の開口端部が支柱の凹部に嵌入され、
横木の側面に螺着された調整ボルトの先端部がテーパナットのテーパ面に当接して滑動するまで締め付けられることで、横木の一方の開口端部が支柱側へ引き寄せられて位置決めされていることを特徴とする、
擬木柵における支柱と横木の連結構造。
【請求項２】
前記連結ボルトに対してテーパナットの小径側が支柱側へ向けて螺着されていることを特徴とする、請求項１に記載の擬木柵における支柱と横木の連結構造。
【請求項３】
前記支柱の側面から突出した連結ボルトの軸部に連結ナットが螺着されて前記連結ボルトが支柱に固着されていることを特徴とする、請求項１または２に記載の擬木柵における支柱と横木の連結構造。
【請求項４】
横木の他方の開口端に横木ナットが内蔵されていて、前記支柱を貫挿した連結ボルトの他側の軸部が横木ナットに螺着されていることを特徴とする、請求項３に記載の擬木柵における支柱と横木の連結構造。
【請求項５】
前記連結ボルトが単数または複数の支軸で枢支した中折れ式ボルトであり、前記連結ボルトの支軸が支柱の中心部の空洞内に位置することを特徴とする、請求項１乃至４の何れか一項に記載の擬木柵における支柱と横木の連結構造。
【請求項６】
前記支柱または横木が、中空の芯管と、該芯管の表面を被覆した被膜層とにより構成されていることを特徴とする、請求項１乃至５の何れか一項に記載の擬木柵における支柱と横木の連結構造。
【発明の詳細な説明】
【技術分野】
【０００１】
本発明は隣り合う支柱間に横木を横架した擬木柵における支柱と横木の連結構造に関するものである。
【背景技術】
【０００２】
芯材となる金属菅の外周を合成樹脂で擬木状に被覆して製作した擬木材を支柱や横木等として組み立てた擬木柵は遊歩道や公園等に設置されている。
支柱に対する横木の連結方法としては、先行して支柱に連結ボルトを取り付けた後に横木を回転操作して螺着する方法と、一方の横木の開口端部に内挿する筒状の取付金具と、一方の横木の側面からねじ込む側方ボルトとを組み合せ、横木と取付金具の間を側方ボルトで連結する方法(特許文献１)が知られている。
【先行技術文献】
【特許文献】
【０００３】
【特許文献１】特開平１０−１８６５４号公報
【発明の概要】
【発明が解決しようとする課題】
【０００４】
従来の支柱と横木の連結技術にはつぎのような問題点を有する。
＜１＞横木を回転操作して支柱に連結する方法にあっては、重量の重たい横木を複数の作業員が手で持ち、所定の連結角度を保ちながら横木を回転操作しなければならないために、横木の連結に多くの時間と労力を要し、施工性に問題がある。
＜２＞特許文献１に開示された連結方法は、側方ボルトを横木の下部側面から上向きに差し込んだ後に、筒状の取付金具を貫通して形成した二つのねじ穴に位置合せをしてねじ込む必要があるため、施工性に問題がある。
＜３＞特許文献１に開示された連結方法は、横木を間に挟み込んで締め付けるため、側方ボルトが緩み易く、横木に径方向と軸方向の両方向へ向けたガタツキを生じ易い。
【０００５】
本発明は以上の点に鑑みて成されたもので、その目的とするところは簡易な施工によりガタツキのない状態で横木を支柱へ連結できる、擬木柵における支柱と横木の連結構造を提供することにある。
【課題を解決するための手段】
【０００６】
本発明は、側面に凹部が形成された中空構造の支柱と、両端部が開口され、隣り合う支柱の凹部に嵌入されて横架された横木と、支柱と横木の開口端部との間を連結ボルトで連結する連結装置とを具備する擬木柵における支柱と横木の連結構造である。
前記連結装置は支柱に貫挿して固着された両ねじ構造の連結ボルトと、前記支柱の側面から突出した連結ボルトの軸部の他方に螺着されたテーパナットと、前記横木の一方の開口端部の側面に横木の中心部へ向けて螺着された調整ボルトとを少なくとも具備している。
テーパナット付きの連結ボルトは横木の一方の開口端部に内挿された状態で、前記横木の一方の開口端部が支柱の凹部に嵌入されている。
横木の側面に螺着された調整ボルトの先端部がテーパナットのテーパ面に当接して滑動するまで締め付けられることで、横木の一方の開口端部が支柱側へ引き寄せられて位置決めされている。
【０００７】
本発明においては、連結ボルトに螺着したテーパナットのにテーパ面に、横木の側面に螺着した調整ボルトの先端部が当接するまで締め付けるだけの簡単な作業で以て、支柱と横木の連結を行えるだけでなく、横木を支柱側へ引き寄せて支柱と横木の連結部にガタつきのない状態で連結することができる。
本発明の他の形態において、前記連結ボルトに対してテーパナットの小径側が支柱側へ向けて螺着されている。
本発明の他の形態において、前記支柱の側面から突出した連結ボルトの軸部に連結ナットが螺着されて前記連結ボルトが支柱に固着されている。
本発明の他の形態において、横木の他方の開口端に横木ナットが内蔵されていて、前記支柱を貫挿した連結ボルトの他側の軸部が横木ナットに螺着されている。
本発明の他の形態において、前記連結ボルトは軸部の両端部におねじを形成した一本ものの両ねじボルトでもよいが、単数または複数の支軸で枢支した中折れ式ボルトであってもよい。この場合、連結ボルトの支軸は支柱の中心部の空洞内に位置させる。
本発明の他の形態において、前記支柱または横木が、中空の芯管と、該芯管の表面を被覆した被膜層とにより構成されている。
【発明の効果】
【０００８】
本発明は少なくとも次の効果を得ることができる。
＜１＞テーパナット付きの連結ボルトを横木の一方の開口端部に内挿した状態で、横木の側面に螺着した調整ボルトを締め付けるだけの簡易な施工により、支柱と横木の連結を行えるだけでなく、横木を支柱側へ引き寄せて支柱と横木の連結部にガタつきのない状態で強固に連結することができる。
＜２＞テーパナットのテーパ面の形成範囲に亘って横木の引き寄せが可能であるため、連結ボルトに対するテーパナットの螺着位置が多少不正確であっても、支柱と横木の連結部のガタつきを解消することができる。
＜３＞何らかの原因で連結部が緩んでも調整ボルトを再度締付けするだけで連結部のガタツキを解消できる。
＜４＞横木に外力等が作用しても調整ボルトやテーパナットが緩まないので、長期間に亘って良好な連結状態を保持できる。
＜５＞連結ボルトに中折れ式ボルトを用いた場合は、支柱に対する横木の連結角度を任意に選択して連結することができる。
【図面の簡単な説明】
【０００９】
【図１】本発明に係る一部を破断した擬木柵の斜視図
【図２】支柱と横木の連結部の水平断面図
【図３】擬木柵の組立て方法の説明図であって、（Ａ）は連結ボルトを用いて左方（一方）の横木と支柱の間を嵌合させるまでの擬木柵の組立て斜視図、（Ｂ）は連結ボルトを用いて左方（一方）の横木と支柱の間を嵌合させた嵌合部の水平断面図
【図４】擬木柵の組立て方法の説明図であって、（Ａ）は横木と支柱の間を連結した擬木柵の組立て斜視図、（Ｂ）はその連結部の水平断面図
【図５】擬木柵の組立て方法の説明図であって、（Ａ）は右方（他方）の横木に調整ボルトを螺着する擬木柵の組立て斜視図、（Ｂ）はその連結部の拡大水平断面図
【図６】実施例２に係る支柱と横木の連結部の水平断面図
【図７】実施例３に係る支柱と横木の連結部の水平断面図
【発明を実施するための形態】
【００１０】
以下、図面を参照しながら本発明について説明する。
【００１１】
［実施例１］
＜１＞防護柵の概要
図１，２に例示した擬木柵について説明すると、擬木柵は間隔を隔てて立設した複数の支柱１０と、隣り合う支柱１０の間に横架した複数の横木２０と、支柱１０と横木２０の間を連結する連結装置３０とを具備する。
【００１２】
支柱１０および横木２０は、芯管１０ａ，２０ａの外周を擬木状の被覆層１０ｂ，２０ｂで被覆して一体化した公知の擬木材からなる。
芯管１０ａ，２０ａは断面形状が円形を呈する公知の中空管体であり、例えば鋼管、アルミ管、樹脂管、紙管等を含む。
被覆層１０ｂ，２０ｂは、例えば硬質樹脂、軟質樹脂、コンクリート等を含む。
【００１３】
＜２＞支柱
支柱１０の側面には横木２０の取付け高さに合せて横木２０の端部を収容可能な有底構造の凹部１１が形成されていると共に、一対の凹部１１，１１間に挿通孔１２が形成されている。
【００１４】
＜３＞横木
横木２０はその両端部が開放されている。
横木２０の右方（一方）の開口端部２０ｃには横木２０の同心位置に横木ナット２１が一体に固着してある。
横木２０の左方（他方）の開口端部２０ｄの側面には半径方向または軸芯へ向けて側部ボルト孔２２が形成してあり、側部ボルト孔２２は他方の開口端部２０ｄの内空と連通している。
なお、隣り合う支柱１０の間に横架する横木２０の本数は図１で例示した２本に限定されず、１本または３本以上でもよい。
【００１５】
＜４＞連結装置
本例で例示した連結装置３０について説明すると、連結装置３０は支柱１０に貫挿可能な長さを有する連結ボルト３１と、連結ボルト３１の右方の軸部に螺着した連結ナット３２と、連結ナット３２の外方であって連結ボルト３１の右方の軸部に螺着したテーパナット３３と、テーパナット３３のテーパ状の側面に当接可能な調整ボルト３４とを具備する。
連結ナット３２とテーパナット３３は共に横木２０の左方の開口端部２０ｄに内挿可能な寸法関係にある。
【００１６】
＜４．１＞連結ボルト
連結ボルト３１は軸部の両側におねじを形成した一本ものの両ねじボルトであり、支柱１０の挿通孔１２に貫挿可能の全長を有している。
連結ボルト３１はその左方（一方）の軸部に横木２０の開口端部２０ｃに固着して設けた横木ナット２１に螺着可能なおねじが形成されていて、その右方（他方）の軸部に連結ナット３２およびテーパナット３３を螺着可能なおねじが形成されている。
【００１７】
＜４．２＞連結ナット
連結ナット３２は連結ボルト３１に螺着可能なナットであり、連結ボルト３１と連結ナット３２との組み合わせにより左方の横木２０と支柱１０間のボルト連結が可能である。
【００１８】
＜４．３＞テーパナット
テーパナット３３は調整ボルト３４と協働して支柱１０と右方の横木２０との間を連結するためのテーパ状のナットであり、その外周がテーパ面３３ａとして形成されている。テーパ面３３ａの勾配や軸長は適宜選択する。
【００１９】
＜４．４＞調整ボルト
調整ボルト３４は横木２０の側部ボルト孔２２に螺合可能なボルトであり、テーパナット３３と協働して右方の横木２０を支柱１０の離隔方向へ向けて付勢するために機能する。
調整ボルト３４は横木２０の外部からねじ込んだときに調整ボルト３４の先端部がテーパナット３３のテーパ面３３ａに当接可能な全長を有している。
調整ボルト３４としては景観性に優れた六角穴付きボルトが好適であるが、六角ボルト等の公知のボルトを適用してもよい。
また本例では調整ボルト３４の先端部が円錐形を呈する形態について示しているが、調整ボルト３４の先端部の形状は半球状やフラット形状でもよい。
【００２０】
［支柱と横木の連結方法］
連結装置３０を用いた支柱１０と左右一対の横木２０，２０間の連結方法について説明する。本例では左方の横木２０と支柱１０間を先行して連結した後に、右方の横木２０と支柱１０間を連結する形態について説明する。
【００２１】
１．左方の横木と支柱間の連結
左方の横木２０と支柱１０間の連結方法について説明する。
【００２２】
＜１＞連結ボルトのねじ込みセット（図３）
鉛直に立設した支柱１０に対し左方の横木２０を水平に向けて配置する。
この横木２０の右方の開口端部２０ｃを支柱１０の対向する凹部１１に嵌入させた後、挿通孔１２を通じて支柱１０の右方側から差し込んだ連結ボルト３１の軸部を横木２０の横木ナット２１にねじ込む。
ねじ込みを終えた連結ボルト３１の右方の軸部は支柱１０の凹部１１から突出している。
【００２３】
＜２＞連結ナットの締付け（図４）
支柱１０から突出する連結ボルト３１の右方の軸部に座金を介して連結ナット３２を螺着して左方の横木２０と支柱１０の間を連結する。
連結ナット３２を締め付けることで左方の横木２０が支柱１０に引き寄せられる。
左方の横木２０の右方端が支柱１０の凹部１１の平らな底面に押し当たることで支柱１０と左方の横木２０との連結部にガタつきがなくなる。
【００２４】
このように、支柱１０に貫挿した連結ボルト３１の先端を左方の横木２０の横木ナット２１にねじ込んだ後に、連結ナット３２で締め付けるだけの簡単な操作で以て左方の横木２０と支柱１０との間をガタつきのない状態で連結することができる。
【００２５】
２．右方の横木と支柱間の連結
つぎに右方の横木２０と支柱１０間の連結方法について説明する。
【００２６】
＜１＞テーパナットの位置合わせ（図４）
右方の横木２０と支柱１０間の連結準備として、支柱１０の右方に突出する連結ボルト３１の軸部にテーパナット３３を螺着する。このとき、テーパ面３３ａの小径側を連結ナット３２へ向けて螺着する。
テーパナット３３の螺着にあたっては、横木２０の左方の開口端部２０ｄを支柱１０の凹部１１に嵌入させたときに、横木２０の側部に螺着した調整ボルト３４の先端部がテーパナット３３のテーパ面３３ａと当接し得るように、連結ボルト３１に対するテーパナット３３の螺着位置を予め調整しておく。
【００２７】
＜２＞右方の横木のセット（図４）
テーパナット３３付きの連結ボルト３１を横木２０の左方の開口端部２０ｄに内挿しながら、横木２０の左方の開口端部２０ｄを支柱１０の凹部１１に嵌入する。
【００２８】
＜３＞調整ボルトの螺着（図５）
右方の横木２０の側面に形成した側部ボルト孔２２に調整ボルト３４を螺着する。
調整ボルト３４の先端部が横木２０の中心部に突出してテーパナット３３のテーパ面３３ａに当接するまで調整ボルト３４をねじ込んで支柱１０と右方の横木２０の間を連結する。
調整ボルト３４の先端部がテーパナット３３のテーパ面３３ａに当接することで、右方の横木２０が位置決めされて抜け出しが規制される。
【００２９】
横木２０の側部ボルト孔２２を真横に向けると調整ボルト３４の螺着作業を簡単に行えるが、側部ボルト孔２２の向きに制約は特になく、現場に応じて側部ボルト孔２２の向きを選択してもよい。
さらに調整ボルト３４の螺着本数は１本に限定されず、等間隔に複数本の調整ボルト３４を螺着するようにしてもよい。
【００３０】
＜４＞ガタツキの解消（図５）
調整ボルト３４の先端部をテーパナット３３に単に当接させただけでは、支柱１０と右方の横木２０の連結部にガタつきを生じ易い。
このガタツキをなくすために調整ボルト３４を更にねじ込むと、調整ボルト３４の先端部がテーパナット３３の傾斜したテーパ面３３ａに沿って滑動し、調整ボルト３４の先端部がテーパ面３３ａの大径側から縮径側へ向けて滑動することで横木２０が支柱１０側へ引き寄せられる。
右方の横木２０の左方端が支柱１０の凹部１１の底面に押し当たることで、支柱１０と右方の横木２０との連結部にガタつきが解消される。
【００３１】
調整ボルト３４をねじ込むことでテーパナット３３のテーパ面３３ａに押圧力が作用しても、調整ボルト３４やテーパナット３３が緩まないので、調整ボルト３４に対するテーパナット３３の螺着位置が変位しない。
したがって、横木２０に外力等が作用しても支柱１０と右方の横木２０との連結部が緩むことがなく、長期間に亘って良好な連結状態を保持できる。
仮に何らかの原因で連結部が緩んでも調整ボルト３４を再度締付けするだけで連結部のガタツキを解消できる。
【００３２】
調整ボルト３４が滑動し得るテーパ面３３ａの軸長の範囲に亘って右方の横木２０の引き寄せが可能であるため、連結ボルト３１に対するテーパナット３３の螺着位置が多少不正確であっても支柱１０と右方の横木２０の連結部のガタつきを吸収することができる。
【００３３】
このように調整ボルト３４を締付けるだけの簡単な操作で以て、右方の横木２０を支柱１０に引き寄せして、ガタつきを解消した状態で強固に連結することができる。
【００３４】
［実施例２］
以降に他の実施例について説明するが、その説明に際し、前記した実施例と同一の部位は同一の符号を付してその詳しい説明を省略する。
【００３５】
＜１＞本実施例の構成
先の実施例１では支柱１０に対する左右の各横木２０，２０の連結手段が異なる形態について説明したが、図６に示すように連結ボルト３１の左右両側の軸部にそれぞれテーパナット３３を設けると共に、左右両側の横木２０，２０にそれぞれ調整ボルト３４，３４を螺着して左右同一の連結構造としてもよい。
なお、本例にあっては、連結ボルト３１に螺着予定の一対の連結ナット３２，３２のうちの何れか一方を省略して連結することも可能である。
【００３６】
＜２＞本実施例の効果
本実施例にあっては、各調整ボルト３４を締付けることで、１本の支柱１０に対して左右両側の横木２０，２０の間をガタつきのない状態で連結することができる。
【００３７】
［実施例３］
図７を参照して、連結装置３０の構成部材のひとつである連結ボルト３１が中折れ式ボルトで構成して、支柱１０に対して左右の横木２０，２０を屈曲させて連結しえるようにした他の実施例について説明する。
連結装置３０の基本構成と連結装置３０の使用方法については、既述した実施例と同様であるので詳しい説明を省略する。
【００３８】
＜１＞連結ボルト
本例の連結ボルト３１はその軸部が二分されていて、軸部の突き合せ端が支軸３５を介して回動自在に連結されている。二分された各軸部にはそれぞれおねじが形成されている。
連結ボルト３１の枢支構造は本例で例示した構造に限定されるものではなく、支軸３５を中心として軸部の屈曲角度を任意に調整できる構造であればよい。
本例では連結ボルト３１の支軸３５が１つの形態について例示するが、複数の支軸３５を設けたボルトを使用してもよい。
【００３９】
＜２＞支柱
支柱１０の側面には横木２０，２０の連結角度に合せた有底構造の凹部１１，１１が形成されていると共に、一対の凹部１１，１１間に屈曲した挿通孔１２が形成されている。
連結ボルト３１は屈曲した挿通孔１２に対して挿通可能であり、連結ボルト３１の支軸３５を支柱１０の中心部の内空に位置させる。
連結ボルト３１は支軸３５を中心として軸部の屈曲角度を任意に調整して設置することができる。
連結ボルト３１の設置に際し、支軸３５は鉛直に向けて配置する以外に連結ボルト３１全体を回動させることで鉛直以外の方向に向けて配置することも可能である。
支軸３５を鉛直以外の方向に向けて配置した場合には隣り合う一対の横木２０，２０に対して水平方向に屈曲させるだけでなく、高さ方向の勾配を付与することも可能となる。
【００４０】
＜３＞本実施例の効果
本実施例にあっては先の実施例１，２の効果にくわえて、支柱１０に対する横木２０の連結角度を任意に選択して連結することができる。
【符号の説明】
【００４１】
１０・・・・・支柱
１０ａ・・・・芯管
１０ｂ・・・・被覆層
１１・・・・・凹部
１２・・・・・挿通孔
２０・・・・・横木
２０ａ・・・・芯管
２０ｂ・・・・被覆層
２０ｃ・・・・横木の右方（一方）の開口端部
２０ｄ・・・・横木の左方（他方）の開口端部被覆層
２１・・・・・横木ナット
２２・・・・・側部ボルト孔
３０・・・・・連結装置
３１・・・・・連結ボルト
３２・・・・・連結ナット
３３・・・・・テーパナット
３３ａ・・・・テーパナットのテーパ面
３４・・・・・調整ボルト
３５・・・・・支軸
【図１】
2019127791.tif 000003
【図２】
2019127791.tif 000004
【図３】
2019127791.tif 000005
【図４】
2019127791.tif 000006
【図５】
2019127791.tif 000007
【図６】
2019127791.tif 000008
【図７】
2019127791.tif 000009